(57)【要約】【課題】使用したモップの脱水が自動的に行えるようにするとともにモップを効率良く洗浄することができ、しかもモップ掛ける場所に持ち込んで簡単に設置使用できる軽量且つコンパクトなモップ洗浄脱水機を提供する。【解決手段】モップＭが差込み可能なサイズの洗浄口２及び脱水口３をケース１の上面に隣合わせに開口してそれらの開口部下に、洗浄部４及び脱水部５を内設する。前記脱水部５には、水受空間Ｂ内に底面１９及び側面２０に小孔群２１を設けた上開き脱水容器１８が前記底面板１５から浮いた状態で、しかも前記脱水口３に気密状態となるように固定される。また、前記洗浄部４及び脱水部５の下方に吸引室２４及び排気室２６を有するモーター吸引機６を設置し、前記モーター吸引機６の排気室からケース内の下部空間Ｃを介してケース１の外部に開く排気口２８を設ける。【選択図】　　　　図３
2004089297.tif 000002
【特許請求の範囲】
【請求項１】
モップ差込み可能なサイズの洗浄口及び脱水口をケースの上面に開口してそれらの開口部下に内設した洗浄部及び脱水部と、
前記洗浄部及び脱水部の下方に設置した吸引室及び排気室を有するモーター吸引機と、
前記モーター吸引機の排気室から通気路を介してケース外に開く排気口とから成り、
前記洗浄部は、底面板とそれを囲う側面板とで水受空間を形成し、水道に接続される導水管の端部に連結されたコック付きの水道蛇口を該水受空間の上部に配設するとともに前記底面板に排水管を介して貯まった水をケース外に排出するコック付きの排水口を備えて成り
前記脱水部は、底面板とそれを囲う側面板とで水受空間を形成し、該水受空間内に底面及び側面に小孔群を設けた上開き脱水容器が前記底面板から浮いた状態で且つ前記脱水口に気密状態で固定し、また前記側面板の上部に吸引口を設けるとともに前記底面板に減圧逆止弁付き排水口を設け、さらに前記吸引口をモーター吸引機の吸引室に吸気管を介して連結して成るモップ洗浄脱水機。
【請求項２】
洗浄部の底面板上に通水型当擦り板を、モップが出し入れ可能な間隔を設けて上開き状に対向設置して成る請求項１に記載のモップ洗浄脱水機。
【請求項３】
モーター吸引機に排気室を囲う排気調整室を添設し、該排気室に設けた排気口に対して通気路へ排出する排気量を調節する調節杆付ダンパーを装着し、洗浄部の底面板上に細孔群を有する気泡噴射ノズルを固設するとともに該気泡発生ノズルを送気管を介して前記排気調整室へ接続して成る請求項１又は２に記載のモップ洗浄脱水機。
【請求項４】
洗浄部に、水受空間に貯まった水の量を一定に保持する水位維持放水口を洗浄水位位置に設けるとともに水を全排出できるようにするための水量調節部を底面板に設けて成る請求項１乃至３のうちいずれか一項に記載のモップ洗浄脱水機。
【発明の詳細な説明】
【０００１】
【発明が属する技術分野】
本発明は、店舗や事務所などのクッションフロアーシート、ビニールタイル、リノリュームなどの床面の清掃に使用し、汚れたモップを水で洗浄するとともにそのモップに含まれる水を自動的に脱水するための装置に関する。
【０００２】
【従来の技術】
本発明者は、吸引ファンによってモップに含まれる水分を吸引して脱水するモップ脱水装置（特願平４−１７１９０９、特願平７−１９４２１０）を提案した。
また、その後、そのようなモップ脱水装置と床清掃用のゴミ吸引機構とを一体化した装置（特願平７−３４６５２２、特願平８−５０８５９）を提案し、さらにその後、モップ脱水装置を受水槽に取り付けられるようにしたモップ絞り装置（特願平１１−１７５１１２）を提案している。
【０００３】
しかし、実際のモップによる清掃作業においては、モップを絞るだけではなく、モップを洗浄することが必要不可欠なことであるが、これまで提案した各種モップ脱水装置はモップに含まれている水を絞り取るだけでモップを洗浄する手段がなかった。
このため、それらの装置はいずれもモップ脱水装置以外の別の場所で洗浄しなければならず、その洗浄場所までモップを持って行くのに手間がかかったり、また洗浄場所に設置しないと使用することがきない難点があった。
また、使いやすくするためにその装置自体を洗浄場所のそばまで移動させるのも装置自体が重たいために容易ではなかった。
【０００４】
【発明が解決しようとする課題】
本発明は、上記実情に鑑みてなされたもので、使用したモップの脱水が自動的に行えるようにするとともにモップを効率良く洗浄することができ、しかもモップ掛ける場所に持ち込んで簡単に設置使用できる軽量且つコンパクトなモップ洗浄脱水機を提供するものである。
【０００５】
【課題を解決するための手段】
上記課題を解決するための本発明のモップ洗浄脱水機は、モップ差込み可能なサイズの洗浄口及び脱水口をケースの上面に開口してそれらの開口部下に内設した洗浄部及び脱水部と、前記洗浄部及び脱水部の下方に設置した吸引室及び排気室を有するモーター吸引機と、前記モーター吸引機の排気室から通気路を介してケース外に開く排気口とから構成する。
【０００６】
そして、前記洗浄部は、底面板とそれを囲う側面板とで水受空間を形成し、水道に接続される導水管の端部に連結されたコック付きの水道蛇口を該水受空間の上部に配設するとともに前記底面板に排水管を介して貯まった水をケース外に排出するコック付きの排水口を備えて構成する。
【０００７】
また、前記脱水部は、底面板とそれを囲う側面板とで水受空間を形成し、該水受空間内に底面及び側面に小孔群を設けた上開き脱水容器が前記底面板から浮いた状態で且つ前記脱水口に気密状態で固定し、また前記側面板の上部に吸引口を設けるとともに前記底面板に減圧逆止弁付き排水口を設け、さらに前記吸引口をモーター吸引機の吸引室に吸気管を介して連結して構成するものである。
【０００８】
また、上記構成において、前記洗浄部の底面板上に通水型当擦り板を、モップが出し入れ可能な間隔を設けて上開き状に対向設置するものである。
【０００９】
さらに、上記構成において、前記モーター吸引機に排気室を囲う排気調整室を添設し、該排気室に設けた排気口に対して通気路へ排出する排気量を調節する調節杆付ダンパーを装着し、洗浄部の底面板上に細孔群を有する気泡噴射ノズルを固設するとともに該気泡噴射ノズルを送気管を介して前記排気調整室へ接続するものである。
【００１０】
さらにまた、上記構成において、前記洗浄部に、水受空間に貯まった水の量を一定に保持する水位維持放水口を洗浄水位位置に設けるとともに水を全排出できるようにするための水量調節部を底面板に設けるものである。
【００１１】
【発明の実施の形態】
本発明の実施の形態を、図の実施例に基づいて以下説明する
【００１２】
本発明は、図１に示すように、モップＭが差込み可能なサイズの洗浄口２及び脱水口３をケース１の上面に隣合わせに開口してそれらの開口部下に、図３に示すように、洗浄部４及び脱水部５を内設する。
そして、前記洗浄部４及び脱水部５の下方に、図６及び図７に示すように、吸引室２４及び排気室２６を有するモーター吸引機６を設置する。このモーター吸引機６には、図ではモーターの回転軸４５に送風羽根４３が３数取り付けられ、強力な吸引力が得られる構造を示している。
また、図１に示すように、前記モーター吸引機６の排気室から通気路（ケース内の下部空間Ｃ）を介してケース１の外部に開く排気口２８を設ける。
【００１３】
このケース１には、図１に示すように、ヒンジ４０を介して上部開口部を覆う蓋３６を設ける。そして、この蓋３６を閉めたときフック４１ａをフック受け金具４１ｂに固定できるようにする。
また、そのケース１の対向両側壁面に指掛穴３５を設けると両手による持運びが楽になる。
【００１４】
前記洗浄部４は、図３、図４及び図５に示すように、底面板７とそれを囲う側面板８とでモップＭを差し込み可能な水受空間Ａを形成する。
そして、水道に接続される導水管９の端部４６に連結されたコック１０付きの水道蛇口１１を該水受空間Ａの上部に配設する。
また、前記底面板７に排水管１２を介して貯まった水をケース１外に排出するコック１３付きの排水口１４を備える。
【００１５】
また、前記洗浄部４には、貯まった水の量を一定に保持しておき、底面板７から側面板８に送水管を繋いで、送水管の途中にゴミ濾過器を設けるとともに循環ポンプを設けて貯まった水を循環させて水を節約することもできる。
【００１６】
前記脱水部５は、底面板１５とそれを囲う側面板１６とで水受空間Ｂを形成する。
そして、該水受空間Ｂ内に底面１９及び側面２０に小孔群２１を設けた上開き脱水容器１８が前記底面板１５から浮いた状態で、しかも前記脱水口３に気密状態となるように固定する。
この脱水容器１８を上開きに形成するのはモップＭを入れやすくするためである。そしてこの脱水容器１８をさらにモップＭの先端を咥えこめるように底面１９へ向かっての下窄まりにすると、空気漏れがなくなってより脱水吸引効果を高めることができる。
【００１７】
また、前記側面板１６の上部に吸引口２２を開口させ、さらに前記底面板１５に減圧逆止弁付き排水口２３を設ける。
そして、前記吸引口２２をモーター吸引機６の吸引室２４に吸気管２５を介して連結する。
これにより、モーター吸引機６が稼動すると前記吸引口２２から空気が吸引されて前記脱水容器１８下の水受空間Ｂ内が減圧される。そして、脱水容器１８内のモップＭに含まれている水と空気が前記小孔群２１から前記水受空間Ｂ内に吸引されていく。
吸引された空気は前記モーター吸引機６の排気室からケース内の下部空間Ｃを経て排気口２８から外部に放出される。
脱水容器１８内から吸引された水は前記水受空間Ｂの底面板１５上に落下して減圧逆止弁付き排水口２３から排水管１２を通して外部に排出される。
【００１８】
また、別の形態は、前記洗浄部４には、図３、図４及び図５に示すように、底面板７上にモップＭを擦り当てるための網状などの通水型当擦り板２９ａ、２９ｂをモップＭが出し入れできるように間隔を開けてその２枚を上開き状に対向設置するものである。
【００１９】
さらに、別の形態は、図６、図７及び図８に示すように、前記モーター吸引機６に排気室２６を囲う排気調整室Ｄを添設する。
そして、該排気室２６に設けた排気口２７に対してケース内の下部空間Ｃへ排出する排気量を調節する調節杆３８付ダンパー３２を装着し、洗浄部４の底面板７上に細孔群３０を有する気泡噴射ノズル１７を固設するとともに該気泡噴射ノズル１７を送気管３１を介して前記排気調整室Ｄへ接続する。
【００２０】
こうすれば、前記ダンパー３２の開閉調節により、モーター吸引機６から排出される排気が気泡噴射ノズル１７へも送れるようになる。
【００２１】
この形態の場合、調節杆３８を回してダンパー３２を開けた状態（図７に示す）では、排気調整室Ｄに被せた送風板の開口部３２ａと調節杆３８に固定された開閉操作板の開口部３２ｂが重なってモーター吸引機６の排気室２６を囲う排気調整室Ｄからケース内の下部空間Ｃへ吸引された空気が排出される。
また、調節杆３８を回してダンパー３２を閉めた状態（図８に示す）では、前記送風板の開口部３２ａと前記開閉操作板の開口部３２ｂとの重なり部分がなくなり（閉め切られ）、気泡噴射ノズル１７へ繋がる送気管３１に全量排気（送気）されることになり、気泡噴射ノズル１７からその空気が排出され、貯まった水の中に気泡を発生させる。
しかし、完全に閉め切ってしまうと、気泡噴射ノズル１７から勢い良く空気が排出され吹き上げることがあるために、その時には適度な吹き出しになるように前記開閉操作板の開口部３２ｂの開き具合を調節する。
また、前記送気管３１の下部には排水弁４８を設けると逆流水がモーター吸引機６内に逆流するのを防止することができる。
【００２２】
さらにまた、図３及び５に示すように、前記洗浄部４に、貯まった水の量を一定に保持し、溢れ出すのを防止する水位維持放水口３３を設けるとともに全排出できるようにするための水量調節部３４を設けることができる。
前記水量調節部３４は、水受空間Ａの下部の底面板７に設けた排水口１４に下端部が嵌る管体をコック１３による上下操作で開閉できるようにし、前記洗浄部４に貯まった水の一部又は全部の排水ができるようにする。
また、前記水位維持放水口３３は、前記管体の側壁部分を水量を維持したい水位の高さに開口させ、且つ前記管体の下端部は排水口１４に常時開状態にし、前記管体の開口から流れ込んだ水がそのまま排水管１２に落下放出できるようにする。
また、前記排水口１４にはゴミ受網４４を装着しておけば、洗浄部４で洗い落ちたゴミの排出を止めて適宜貯まったら外してゴミの除去処理ができる。
【００２３】
また、洗剤タンク、洗剤注入部（図省略）を設けることもでき、そうすれば水に洗剤を加えて洗浄することができるので、より洗浄効果を高めることができる。
【００２４】
さらに、図２及び図３に示すように、ケースの下部空間Ｃの隙空間には電源に接続するためのコード収納室３７を設けると、長いコード４２をコンパクトに収納できるので便利である。
【００２５】
【作用】
本発明は上記構成なので、水で濡れたモップＭを脱水部５の脱水容器１８に差し込み、スイッチ３９を入れてモーター吸引機６を稼動させると、モップＭに含まれている水がその脱水容器１８の小孔群２１から吸引されて底面板１５上に落する。
そして、水とともに吸い込まれた空気は吸気管２５、吸引室２４、排気室２６と経由してその排気室２６に設けた排気口２７からケース１内の下部空間Ｃを通過してケースの側壁面に設けた排気口２８から外部に排出される。
【００２６】
また、洗浄部４の水受空間Ａ内に水道蛇口１１のコック１０を開いて水道水を一定水位まで貯め、その水の中にゴミなどで汚れたモップＭを差し込み、上下に突くように振れば、水受空間Ａ内にゴミなどの汚れが落ちて水洗いができる。
【００２７】
この洗浄部４に通水型当擦り板２９ａ、２９ｂを設けた形態の場合には、前記洗浄部４の水受空間Ａ内に水を貯えた状態でその通水型当擦り板２９ａ、２９ｂにモップＭを当擦りすることができ、モップＭの汚れをより確実に落とすことができる。
【００２８】
さらに、モーター吸引機６にダンパー３２を設けて気泡発生ノズル１７に排気を送れるようにした形態の場合には、モーター吸引機６が稼動している時にダンパー３２を閉じると、モーター吸引機６により空気が吸気管２５、吸引室２４、排気室２６と経由してその排気室２６に接続された送気管３１から気泡噴射ノズル１７へ圧送され、水受空間Ａに貯められた水の中に気泡を発生させることができる。そして、その気泡吹き出しによる水の攪拌と気泡が弾けて生じる超音波によって、差し込まれているモップＭはより効果的に洗浄できるようになる。
【００２９】
【発明の効果】
従来は、モップの洗浄や脱水を行おうとすると洗浄する場所と脱水する場所とが別々であったため夫々の作業には大変に時間と手間がかかっていた。また、洗浄は単にモップを水入り容器に差し込んで揉み洗いする程度のものだったので汚れを充分に落とすことはできなかった。
【００３０】
しかし、本発明の装置は、洗浄部４においては、通水型当擦り板２９ａ、２９ｂと気泡噴射ノズル１７を設けることによって洗浄効果を向上させるとともに給水と排水を一緒に行えるようにすることによって、短時間で簡単により効果的な洗浄ができるようになり、また脱水部５においては、モップを脱水容器１８の底に押し付けことによって自動的に充分な脱水ができるようになった。
【００３１】
そして、それらの洗浄部４及び脱水部５を一つのケース内にコンパクトに納めたことで、装置の小型軽量化が実現し、さらに一つのモーターの稼動で洗浄効果を高める気泡噴射ノズル１７への送気と脱水容器１８の小孔群２１からの脱水が同時にできるようにしたことで、一般の人でもモップの洗浄と脱水の両方の作業が容易に行えるようになり、モップ清掃作業の高効率化が実現する。
【図面の簡単な説明】
【図１】本発明の蓋を開けた状態の斜め前方から見た斜視図。
【図２】蓋を閉じた状態の斜め後ろから見た斜視図。
【図３】本発明の蓋を開けた状態の縦断側面図。
【図４】洗浄部の要部を示す縦断側面図。
【図５】一部切欠して洗浄部と脱水部の要部を示す縦断側面図。
【図６】モーター吸引機部分の斜視図。
【図７】モーター吸引機の内部構造とダンパーを開けた状態を示す縦断側面図。
【図８】モーター吸引機の内部構造とダンパーを閉めた状態を示す縦断側面図。
【符号の説明】
１　　ケース
２　　洗浄口
３　　脱水口
４　　洗浄部
５　　脱水部
６　　モーター吸引機
７　　底面板
８　　側面板
９　　導水管
１０　　コック
１１　　水道蛇口
１２　　排水管
１３　　コック
１４　　排水口
１５　　底面板
１６　　側面板
１７　　気泡噴射ノズル
１８　　脱水容器
１９　　底面
２０　　側面
２１　　小孔群
２２　　吸引口
２３　　減圧逆止弁付き排水口
２４　　モーター吸引機の吸引室
２５　　吸気管
２６　　モーター吸引機の排気室
２７　　排気口
２８　　排気口
２９ａ　通水型当擦り板
２９ｂ　通水型当擦り板
３０　　細孔群
３１　　送気管
３２　　ダンパー
３２ａ　送風板の開口部
３２ｂ　開閉操作板の開口部
３３　　水位維持放水口
３４　　水量調節部
３５　　指掛穴
３６　　蓋
３７　　コード収納室
３８　　調節杆
３９　　スイッチ
４０　　ヒンジ
４１ａ　フック
４１ｂ　フック受
４２　　電線コード
４３　　モーター吸引機の羽根
４４　　ゴミ受網
４５　　モーターの回転軸
４６　　導水管の端部
４７　　排水口
４８　　排水弁
Ｍ　　モップ
Ａ　　水受空間
Ｂ　　水受空間
Ｃ　　下部空間
Ｄ　　排気調整室
【図１】
2004089297.tif 000003
【図２】
2004089297.tif 000004
【図３】
2004089297.tif 000005
【図４】
2004089297.tif 000006
【図５】
2004089297.tif 000007
【図６】
2004089297.tif 000008
【図７】
2004089297.tif 000009
【図８】
2004089297.tif 000010